(57)【要約】  ヘッドライト装置（１０）内の空間（６０）には、上側基板（６２）及び下側基板（６４）が上下方向に対向配置されている。上側基板（６２）の上面（６２ａ）と下側基板（６４）の底面（６４ｂ）とには、それぞれ、第１灯光部（５０）の第１ＬＥＤ光源（６６ａ、６６ｂ）と、第２灯光部（５２）の第２ＬＥＤ光源（６８ａ、６８ｂ）とが配置されている。この場合、第１ＬＥＤ光源（６６ａ、６６ｂ）は、第２ＬＥＤ光源（６８ａ、６８ｂ）の配置箇所よりも前方に配置されている。
2019064795.tif 000002
【特許請求の範囲】
【請求項１】
第１の灯光部（５０）と、該第１の灯光部（５０）の周囲に配置される第２の灯光部（５２）とを備える灯体（１０）において、
前記灯体（１０）は、該灯体（１０）の内部に配置される基板（６２、６４、９０）をさらに備え、
前記第１の灯光部（５０）は、前記基板（６２、６４、９０）に配置され、前記灯体（１０）の前方を照射するための光（Ｌ１、Ｌ２）を出射する第１のＬＥＤ光源（６６ａ、６６ｂ）を有し、
前記第２の灯光部（５２）は、前記基板（６２、６４、９０）に配置され、前記灯体（１０）の前方における前記第１の灯光部（５０）の照射範囲の周囲を照射するための光（Ｌ３）を出射する第２のＬＥＤ光源（６８ａ、６８ｂ）を有し、
前記第１のＬＥＤ光源（６６ａ、６６ｂ）は、前記基板（６２、６４、９０）における前記第２のＬＥＤ光源（６８ａ、６８ｂ）の配置箇所よりも前方に位置することを特徴とする灯体（１０）。
【請求項２】
請求項１記載の灯体（１０）において、
前記基板（６２、６４、９０）は、前記灯体（１０）の前後方向に指向して延出され、
前記各ＬＥＤ光源（６６ａ、６６ｂ、６８ａ、６８ｂ）は、前記前後方向に沿った前記基板（６２、６４、９０）の面（６２ａ、６４ｂ、９０ａ、９０ｂ）上に配設されることを特徴とする灯体（１０）。
【請求項３】
請求項１又は２記載の灯体（１０）において、
前記第１の灯光部（５０）は、複数の前記第１のＬＥＤ光源（６６ａ、６６ｂ）を有し、
前記第２の灯光部（５２）は、複数の前記第２のＬＥＤ光源（６８ａ、６８ｂ）を有し、
複数の前記第１のＬＥＤ光源（６６ａ、６６ｂ）は、互いに異なる方向に指向する光（Ｌ１、Ｌ２）を出射し、
複数の前記第２のＬＥＤ光源（６８ａ、６８ｂ）は、互いに異なる方向に指向する光（Ｌ３）を出射することを特徴とする灯体（１０）。
【請求項４】
請求項３記載の灯体（１０）において、
複数の前記第１のＬＥＤ光源（６６ａ、６６ｂ）のうち、一方のＬＥＤ光源（６６ａ）は、ロービーム用の光源であり、他方のＬＥＤ光源（６６ｂ）は、ハイビーム用の光源であり、
複数の前記第１のＬＥＤ光源（６６ａ、６６ｂ）は、互いに反対方向に指向する光（Ｌ１、Ｌ２）を出射することを特徴とする灯体（１０）。
【請求項５】
請求項１〜４のいずれか１項に記載の灯体（１０）において、
前記第１の灯光部（５０）は、前記第１のＬＥＤ光源（６６ａ、６６ｂ）から出射される光（Ｌ１、Ｌ２）を前記灯体（１０）の前方に反射させる第１のリフレクタ（７０）をさらに有し、
前記第２の灯光部（５２）は、前記第２のＬＥＤ光源（６８ａ、６８ｂ）から出射される光（Ｌ３）を前記灯体（１０）の前方に反射させる第２のリフレクタ（７２）をさらに有し、
前記第１のリフレクタ（７０）は、前記第１のＬＥＤ光源（６６ａ、６６ｂ）と前記第２のＬＥＤ光源（６８ａ、６８ｂ）との間に配置されることを特徴とする灯体（１０）。
【請求項６】
請求項５記載の灯体（１０）において、
前記第２のリフレクタ（７２）の前方の端縁部（８６ａ、８６ｂ）は、前記第１のリフレクタ（７０）の前方の端縁部（７８ａ、７８ｂ）よりも、前記灯体（１０）の前後方向に直交する方向の外側に位置することを特徴とする灯体（１０）。
【請求項７】
請求項１〜６のいずれか１項に記載の灯体（１０）において、
前記灯体（１０）は、少なくとも２つの前記基板（６２、６４）を備え、
２つの前記基板（６２、６４）は、前記灯体（１０）の前後方向に直交する方向で対向するように、前記前後方向に沿って配置され、
前記第１の灯光部（５０）は、複数の前記第１のＬＥＤ光源（６６ａ、６６ｂ）を有し、
前記第２の灯光部（５２）は、複数の前記第２のＬＥＤ光源（６８ａ、６８ｂ）を有し、
一方の基板（６２）における他方の基板（６４）とは反対側の側面（６２ａ）と、前記他方の基板（６４）における前記一方の基板（６２）とは反対側の側面（６４ｂ）とには、それぞれ、前記第１のＬＥＤ光源（６６ａ、６６ｂ）及び前記第２のＬＥＤ光源（６８ａ、６８ｂ）が配設されることを特徴とする灯体（１０）。
【請求項８】
請求項１〜６のいずれか１項に記載の灯体（１０）において、
前記基板（９０）は、前記灯体（１０）の前後方向に沿って配置され、
前記第１のＬＥＤ光源（６６ａ、６６ｂ）及び前記第２のＬＥＤ光源（６８ａ、６８ｂ）は、前記前後方向に沿った前記基板（９０）の一方の側面（９０ａ）及び／又は他方の側面（９０ｂ）で、前記前後方向にずらして配置されることを特徴とする灯体（１０）。
【発明の詳細な説明】
【技術分野】
【０００１】
本発明は、第１の灯光部と、該第１の灯光部の周囲に配置される第２の灯光部とを備える灯体に関する。
【背景技術】
【０００２】
特開２０１５−１７３０２４号公報には、灯体の前面に指向して第１の灯光部のＬＥＤ光源（第１のＬＥＤ光源）を配設する一方で、第１のＬＥＤ光源の背後に、灯体の背面に指向する第２の灯光部の光源（第２のＬＥＤ光源）を配設し、第２のＬＥＤ光源から出射された光をリフレクタで灯体の前方に反射させることが開示されている。
【発明の概要】
【０００３】
特開２０１５−１７３０２４号公報では、ＬＥＤ光源を用いているため、灯体の小型化を図ることはできるが、一方で、第２のＬＥＤ光源から灯体の後方に出射された光を前方に反射させるリフレクタの形状が複雑になる。この結果、灯体の前後方向（灯体からの光の照射方向）の厚みが大きくなる。
【０００４】
そこで、本発明は、第１の灯光部と、第１の灯光部の周囲で発光する第２の灯光部とを備える灯体において、コンパクトな配置の灯体を提供することを目的とする。
【０００５】
本発明は、第１の灯光部と、該第１の灯光部の周囲に配置される第２の灯光部とを備える灯体であって、以下の特徴を有する。
【０００６】
第１の特徴；前記灯体は、該灯体の内部に配置される基板をさらに備える。前記第１の灯光部は、前記基板に配置され、前記灯体の前方を照射するための光を出射する第１のＬＥＤ光源を有する。また、前記第２の灯光部は、前記基板に配置され、前記灯体の前方における前記第１の灯光部の照射範囲の周囲を照射するための光を出射する第２のＬＥＤ光源を有する。この場合、前記第１のＬＥＤ光源は、前記基板における前記第２のＬＥＤ光源の配置箇所よりも前方に位置する。
【０００７】
第２の特徴；前記基板は、前記灯体の前後方向に指向して延出され、前記各ＬＥＤ光源は、前記前後方向に沿った前記基板の面上に配設される。
【０００８】
第３の特徴；前記第１の灯光部は、複数の前記第１のＬＥＤ光源を有し、前記第２の灯光部は、複数の前記第２のＬＥＤ光源を有する。この場合、複数の前記第１のＬＥＤ光源は、互いに異なる方向に指向する光を出射し、複数の前記第２のＬＥＤ光源は、互いに異なる方向に指向する光を出射する。
【０００９】
第４の特徴；複数の前記第１のＬＥＤ光源のうち、一方のＬＥＤ光源は、ロービーム用の光源であり、他方のＬＥＤ光源は、ハイビーム用の光源であり、複数の前記第１のＬＥＤ光源は、互いに反対方向に指向する光を出射する。
【００１０】
第５の特徴；前記第１の灯光部は、前記第１のＬＥＤ光源から出射される光を前記灯体の前方に反射させる第１のリフレクタをさらに有する。また、前記第２の灯光部は、前記第２のＬＥＤ光源から出射される光を前記灯体の前方に反射させる第２のリフレクタをさらに有する。この場合、前記第１のリフレクタは、前記第１のＬＥＤ光源と前記第２のＬＥＤ光源との間に配置される。
【００１１】
第６の特徴；前記第２のリフレクタの前方の端縁部は、前記第１のリフレクタの前方の端縁部よりも、前記灯体の前後方向に直交する方向の外側に位置する。
【００１２】
第７の特徴；前記灯体は、少なくとも２つの前記基板を備える。２つの前記基板は、前記灯体の前後方向に直交する方向で対向するように、前記前後方向に沿って配置される。また、前記第１の灯光部は、複数の前記第１のＬＥＤ光源を有し、前記第２の灯光部は、複数の前記第２のＬＥＤ光源を有する。この場合、一方の基板における他方の基板とは反対側の側面と、前記他方の基板における前記一方の基板とは反対側の側面とには、それぞれ、前記第１のＬＥＤ光源及び前記第２のＬＥＤ光源が配設される。
【００１３】
第８の特徴；前記基板は、前記灯体の前後方向に沿って配置される。この場合、前記第１のＬＥＤ光源及び前記第２のＬＥＤ光源は、前記前後方向に沿った前記基板の一方の側面及び／又は他方の側面で、前記前後方向にずらして配置される。
【００１４】
本発明の第１の特徴によれば、基板を増やすことなく、同一の基板上に第１のＬＥＤ光源と第２のＬＥＤ光源とを配設することができるので、第１の灯光部及び第２の灯光部をコンパクトに配置することができる。従って、第１の灯光部と、第１の灯光部の周囲で発光する第２の灯光部とを備える灯体において、コンパクトな配置の灯体を実現することができる。また、同一の基板上で第１のＬＥＤ光源と第２のＬＥＤ光源とが前後にずらして配設される。これにより、灯体内で第１の灯光部と第２の灯光部とが分けて配設され、該灯体内の機能を区別しやすくなる。また、基板上での第１のＬＥＤ光源及び第２のＬＥＤ光源の配線も容易となる。
【００１５】
本発明の第２の特徴によれば、第１のＬＥＤ光源及び第２のＬＥＤ光源を効率よく基板に配設することができる。
【００１６】
本発明の第３の特徴によれば、灯体から前方に照射される照射光（第１の灯光部からの照射光、第２の灯光部からの照射光）を均一化することが可能となる。
【００１７】
本発明の第４の特徴によれば、第１灯光部は、ロービーム用の照射光と、ハイビーム用の照射光とを分けて、前方に照射することができる。このように、灯体内で第１の灯光部の機能を空間的に分けることにより、簡単な構造のヘッドライト用灯体を実現することができる。
【００１８】
本発明の第５の特徴によれば、第１のリフレクタを用いて、灯体の内部を、第１のＬＥＤ光源が配設される空間と、第２のＬＥＤ光源が配設される空間とに区画することで、第１のＬＥＤ光源からの光と、第２のＬＥＤ光源からの光とを個別に灯体の前方に照射させることができる。また、単純なリフレクタの形状とすることができるので、コンパクト且つ薄型の灯体を実現することができる。
【００１９】
本発明の第６の特徴によれば、導光体レンズ等の導光部材を用いることなく、第１のＬＥＤ光源からの光を第１のリフレクタによって前方に確実に反射（照射）させると共に、第２のＬＥＤ光源からの光を第２のリフレクタによって前方に確実に反射（照射）させることができる。
【００２０】
本発明の第７の特徴によれば、２つの基板が隙間を隔てて対向配置されているので、２つの基板における前後方向の同じ位置にＬＥＤ光源を配置することが可能となる。これにより、第１のＬＥＤ光源及び第２のＬＥＤ光源をコンパクトに配置することができる。
【００２１】
本発明の第８の特徴によれば、１つの基板の両面を利用して第１のＬＥＤ光源及び第２のＬＥＤ光源をコンパクトに配置することができる。
【図面の簡単な説明】
【００２２】
【図１】本実施形態に係るヘッドライト装置が搭載される自動二輪車の左側面図である。
【図２】図１のヘッドライト装置近傍の正面図である。
【図３】図２のＩＩＩ−ＩＩＩ線に沿った断面図である。
【図４】図１〜図３のヘッドライト装置の点灯の一例を示す概念図である。
【図５】図１〜図４のヘッドライト装置の変形例を示す正面図である。
【図６】図５のＶＩ−ＶＩ線に沿った断面図である。
【図７】図５及び図６のヘッドライト装置の点灯の一例を示す概念図である。
【発明を実施するための形態】
【００２３】
本発明に係る灯体について、好適な実施形態を掲げ、添付の図面を参照しながら、以下詳細に説明する。
【００２４】
［自動二輪車１２の概略構成］
図１は、本実施形態に係るヘッドライト装置（灯体）１０が搭載される鞍乗型車両の一種である自動二輪車１２の左側面図である。自動二輪車１２は、ダブルクレードル型の車体フレーム１４を有する。なお、以下の説明では、一例として、自動二輪車１２について説明するが、本実施形態に係るヘッドライト装置１０は、スクータ型、カブ型、オンロード型又はオフロード型等の各種の鞍乗型車両や、鞍乗型車両以外の他の種類の車両にも適用可能である。また、以下の説明では、車体フレーム１４の後部上方に設けられるシート１６に着座した乗員の見た方向に従って、前後、左右及び上下の方向を説明する。
【００２５】
車体フレーム１４は、自動二輪車１２の前部に設けられたヘッドパイプ１８を有する。ヘッドパイプ１８は、図１及び図２に示す左右一対のフロントフォーク２０を回転自在に軸支する。左右一対のフロントフォーク２０の上端には、トップブリッジ２２を介して、操舵用のハンドル２４が取り付けられている。また、トップブリッジ２２には、スピードメータ等を有するメータ部２６が取り付けられている。さらに、ステー基部２８がトップブリッジ２２とボトムブリッジ３０との間で支持されている。ボトムブリッジ３０には、警告音を出力する左右一対のホーン３２が取り付けられている。
【００２６】
ステー基部２８（図１参照）には、前方に延びる左右一対のステー３４が取り付けられている。左右一対のステー３４の前端部には、自動二輪車１２の前方を照射するヘッドライト装置１０が取り付けられている。また、ステー基部２８には、左右一対のフロントウインカ３６が取り付けられている。左右一対のフロントフォーク２０は、前輪３８を回転自在に軸支する。また、左右一対のフロントフォーク２０には、前輪３８を上方から覆うフロントフェンダ４０が設けられている。
【００２７】
なお、自動二輪車１２の構造は周知であるため、その詳細な説明は省略する。
【００２８】
［ヘッドライト装置１０の構成］
次に、本実施形態に係るヘッドライト装置１０について、図１〜図３を参照しながら説明する。
【００２９】
図１に示すように、左右一対のステー３４の後端部は、２つのボルト４２によってステー基部２８に取り付けられる。ヘッドライト装置１０は、図１の側面視で、半円状（椀状）の形状を有し、ボルト４４によって左右一対のステー３４の前端部に取り付けられる。このボルト４４を弛め、ヘッドライト装置１０を上下方向（垂直方向）に動かすことで、ヘッドライト装置１０の光軸を調整（エイミング調整）することができる。
【００３０】
なお、ヘッドライト装置１０の側面には、基準線４８が設けられており、この基準線４８が水平となるようにヘッドライト装置１０を動かすことで、ヘッドライト装置１０の上下方向における位置を基準位置とすることができる。この基準位置とは、最も一般的なヘッドライト装置１０の位置である。
【００３１】
そして、ヘッドライト装置１０は、図２及び図３に示すように、ヘッドライト装置１０の中央部分からヘッドライト装置１０の前方を照射する第１灯光部（第１の灯光部）５０と、第１灯光部５０の周囲に配置され、ヘッドライト装置１０の前方における第１灯光部５０の照射範囲の周囲（外側）を照射する第２灯光部（第２の灯光部）５２とを備える。
【００３２】
具体的に、ヘッドライト装置１０は、ヘッドライト装置１０の筐体を構成するハウジング５４及びレンズ５６を有する。ハウジング５４は、図１の側面視で、半球状（椀状）の形状を有し、ボルト４４によって左右一対のステー３４に固定されている。図２及び図３に示すように、ハウジング５４は、前方に開口しており、ハウジング５４の前端部にレンズ５６が嵌め込まれる。レンズ５６は、円環状の固定部材５８によってハウジング５４の前端部に固定される。これにより、ヘッドライト装置１０の内部には、空間６０が形成される。
【００３３】
空間６０内の中央部には、２つの基板（上側基板６２、下側基板６４）が配置されている。上側基板６２及び下側基板６４は、上下方向に所定の隙間を隔てて対向配置され、前後方向及び左右方向に延びている。
【００３４】
上側基板６２の上面６２ａ（上側基板６２における下側基板６４とは反対側の面）において、前方寄りの中央部分には、第１ＬＥＤ光源（第１のＬＥＤ光源）６６ａが配置され、一方で、後方寄りの中央部分には、第２ＬＥＤ光源（第２のＬＥＤ光源）６８ａが配置されている。すなわち、第１ＬＥＤ光源６６ａ及び第２ＬＥＤ光源６８ａは、上側基板６２において所定間隔隔てて前後方向に配置され、且つ、上側基板６２に直交する上方向に光を出射するように上面６２ａに配置されている。
【００３５】
また、下側基板６４の底面６４ｂ（下側基板６４における上側基板６２とは反対側の面）において、前方寄りの中央部分には、第１ＬＥＤ光源（第１のＬＥＤ光源）６６ｂが配置され、一方で、後方寄りの中央部分には、第２ＬＥＤ光源（第２のＬＥＤ光源）６８ｂが配置されている。すなわち、第１ＬＥＤ光源６６ｂ及び第２ＬＥＤ光源６８ｂは、下側基板６４において所定間隔隔てて前後方向に配置され、且つ、下側基板６４に直交する下方向に光を出射するように底面６４ｂに配置されている。
【００３６】
従って、上側基板６２の第１ＬＥＤ光源６６ａと下側基板６４の第１ＬＥＤ光源６６ｂとは、互いに異なる方向（上方向と下方向との反対方向）に指向する光Ｌ１、Ｌ２をそれぞれ出射し、一方で、上側基板６２の第２ＬＥＤ光源６８ａと下側基板６４の第２ＬＥＤ光源６８ｂとは、互いに異なる方向（上方向と下方向との反対方向）に指向する光Ｌ３を出射する。また、図３に示すように、上側基板６２の第１ＬＥＤ光源６６ａと下側基板６４の第１ＬＥＤ光源６６ｂとは、前後方向に沿った同一の位置で、上下方向に隔てて配置されている。また、上側基板６２の第２ＬＥＤ光源６８ａと下側基板６４の第２ＬＥＤ光源６８ｂとは、前後方向に沿った同一の位置で、上下方向に隔てて配置されている。
【００３７】
なお、本実施形態において、上側基板６２の第１ＬＥＤ光源６６ａは、ロービーム用のＬＥＤ光源であり、下側基板６４の第１ＬＥＤ光源６６ｂは、ハイビーム用のＬＥＤ光源である。また、上側基板６２の第２ＬＥＤ光源６８ａと下側基板６４の第２ＬＥＤ光源６８ｂとは、共に、ポジションライト用のＬＥＤ光源である。さらに、第２ＬＥＤ光源６８ａ、６８ｂは、第１ＬＥＤ光源６６ａ、６６ｂよりも光出力が小さいＬＥＤ光源である。さらにまた、上側基板６２及び下側基板６４には、第１ＬＥＤ光源６６ａ、６６ｂ及び第２ＬＥＤ光源６８ａ、６８ｂに接続するための不図示の配線が配索されている。
【００３８】
上記の説明では、第１ＬＥＤ光源６６ａ、６６ｂ及び第２ＬＥＤ光源６８ａ、６８ｂを、前後方向に並べて、複数配置している。本実施形態では、図示はしないが、第１ＬＥＤ光源６６ａ、６６ｂ及び第２ＬＥＤ光源６８ａ、６８ｂを、車幅方向（左右方向）に並べて、複数配置することも可能である。
【００３９】
空間６０内には、２つの上側基板６２及び下側基板６４を取り囲むように、椀状の第１リフレクタ（第１のリフレクタ）７０及び第２リフレクタ（第２のリフレクタ）７２が配置されている。
【００４０】
第１リフレクタ７０は、上側基板６２の前方部分を上方から覆う上側リフレクタ７２ａと、下側基板６４の前方部分を下方から覆う下側リフレクタ７２ｂとから構成される。上側基板６２及び下側基板６４を、所定の隙間（前後方向及び左右方向に延びるスリット）を隔てて、上側リフレクタ７２ａと下側リフレクタ７２ｂとで上下から取り囲むことにより、椀状の第１リフレクタ７０が形成される。
【００４１】
上側リフレクタ７２ａ及び下側リフレクタ７２ｂは、同じ形状を有する。すなわち、上側リフレクタ７２ａ及び下側リフレクタ７２ｂは、それぞれ、図３の断面視で上側基板６２及び下側基板６４と平行に前後方向に延びる基端部７４ａ、７４ｂと、基端部７４ａ、７４ｂから前方に向かって椀状に拡開（湾曲）する反射部７６ａ、７６ｂとを有する。
【００４２】
この場合、第１ＬＥＤ光源６６ａ、６６ｂが反射部７６ａ、７６ｂと対向するように、各反射部７６ａ、７６ｂが配置される。従って、各第１ＬＥＤ光源６６ａ、６６ｂは、前後方向で、各反射部７６ａ、７６ｂとオーバーラップするように上側基板６２及び下側基板６４にそれぞれ配置される。また、上側リフレクタ７２ａの前端部７８ａ及び下側リフレクタ７２ｂの前端部７８ｂは、各第１ＬＥＤ光源６６ａ、６６ｂ、上側基板６２及び下側基板６４よりも前方に位置する。
【００４３】
さらに、図２の正面視で、上側リフレクタ７２ａ及び下側リフレクタ７２ｂの各反射部７６ａ、７６ｂは、半円状の形状を有する。さらにまた、図３の断面視で、上側リフレクタ７２ａ及び下側リフレクタ７２ｂの各基端部７４ａ、７４ｂは、各第１ＬＥＤ光源６６ａ、６６ｂと各第２ＬＥＤ光源６８ａ、６８ｂとの間で、上側基板６２及び下側基板６４と平行に前後方向に延びている。
【００４４】
そして、各第１ＬＥＤ光源６６ａ、６６ｂと、第１リフレクタ７０と、レンズ５６のうち、第１リフレクタ７０に対向する部分とによって、第１灯光部５０が構成される。なお、各基端部７４ａ、７４ｂと上側基板６２及び下側基板６４との間には、第１灯光部５０側の前方の空間（前方の部屋）と、第２灯光部５２側の後方の空間（後方の部屋）とを区画するための不図示の区隔部が設けられる。この区隔部は、縦壁、グロメット等、各基端部７４ａ、７４ｂと上側基板６２及び下側基板６４との間で、前後の部屋を区隔できるものであればよい。
【００４５】
第２リフレクタ７２は、第１リフレクタ７０の背後に設けられ、上側基板６２の後方部分を上方から覆う上側リフレクタ８０ａと、下側基板６４の後方部分を下方から覆う下側リフレクタ８０ｂとから構成される。上側基板６２及び下側基板６４を、所定の隙間（前後方向及び左右方向に延びるスリット）を隔てて、上側リフレクタ８０ａと下側リフレクタ８０ｂとで上下から取り囲むことにより、椀状の第２リフレクタ７２が形成される。
【００４６】
上側リフレクタ８０ａ及び下側リフレクタ８０ｂは、同じ形状を有し、それぞれ、図３の断面視で、上側基板６２及び下側基板６４と平行に前後方向に延びる基端部８２ａ、８２ｂと、基端部８２ａ、８２ｂから前方に向かって椀状に拡開（湾曲）する反射部８４ａ、８４ｂとを有する。
【００４７】
この場合、第２ＬＥＤ光源６８ａ、６８ｂが反射部８４ａ、８４ｂと対向するように、各反射部８４ａ、８４ｂが配置される。従って、各第２ＬＥＤ光源６８ａ、６８ｂは、前後方向で、各反射部８４ａ、８４ｂとオーバーラップするように上側基板６２及び下側基板６４にそれぞれ配置される。また、上側リフレクタ８０ａの前端部８６ａ及び下側リフレクタ８０ｂの前端部８６ｂは、各第２ＬＥＤ光源６８ａ、６８ｂよりも前方に位置する。
【００４８】
さらに、図２の正面視で、上側リフレクタ７２ａ及び下側リフレクタ７２ｂの各反射部８４ａ、８４ｂは、半円状の形状を有する。
【００４９】
さらにまた、第２リフレクタ７２の上側リフレクタ８０ａの前端部８６ａが、第１リフレクタ７０の上側リフレクタ７２ａの前端部７８ａよりも上方（外側）に位置するように、第２リフレクタ７２の上側リフレクタ８０ａが設けられる。また、第２リフレクタ７２の下側リフレクタ８０ｂの前端部８６ｂが、第１リフレクタ７０の下側リフレクタ７２ｂの前端部７８ｂよりも下方（外側）に位置するように、第２リフレクタ７２の下側リフレクタ８０ｂが設けられる。
【００５０】
そして、各第２ＬＥＤ光源６８ａ、６８ｂと、第２リフレクタ７２と、レンズ５６のうち、第２リフレクタ７２に対向する部分とによって、第２灯光部５２が構成される。なお、レンズ５６のうち、第２リフレクタ７２に対向する内側部分には、凹凸状にローレット加工されたローレット加工部８８が形成されている。また、前述のように、第１リフレクタ７０の各基端部７４ａ、７４ｂが各第１ＬＥＤ光源６６ａ、６６ｂと各第２ＬＥＤ光源６８ａ、６８ｂとの間に配置されるので、第１リフレクタ７０は、第１灯光部５０と第２灯光部５２とを区切る仕切りとしても機能する。
【００５１】
なお、空間６０内に配置された上側基板６２、下側基板６４、第１リフレクタ７０及び第２リフレクタ７２は、不図示の固定手段を介してハウジング５４に固定されることが望ましい。
【００５２】
［ヘッドライト装置１０の動作］
以上のように構成される本実施形態に係るヘッドライト装置１０において、ロービーム用の上側の第１ＬＥＤ光源６６ａから光Ｌ１が出射された場合、出射された光Ｌ１は、第１リフレクタ７０の上側リフレクタ７２ａの反射部７６ａで前方に反射される。反射された光Ｌ１は、レンズ５６を介して、ロービームの照射光Ｌ１ｉとして前方に照射される。前述のように、上側リフレクタ７２ａの反射部７６ａは、図２の正面視で半円状の形状を有する。そのため、上側基板６２の第１ＬＥＤ光源６６ａによるロービームの照射光Ｌ１ｉを第１灯光部５０が前方に照射した場合、図４に示すように、自動二輪車１２の前方からヘッドライト装置１０を見ると、レンズ５６の上側内方における半円状の発光として、照射光Ｌ１ｉを視認することができる。
【００５３】
また、ハイビーム用の下側の第１ＬＥＤ光源６６ｂから光Ｌ２が出射された場合、出射された光Ｌ２は、第１リフレクタ７０の下側リフレクタ７２ｂの反射部７６ｂで前方に反射される。反射された光Ｌ２は、レンズ５６を介して、ハイビームの照射光Ｌ２ｉとして前方に照射される。下側リフレクタ７２ｂの反射部７６ｂは、図２の正面視で半円状の形状を有するので、下側基板６４の第１ＬＥＤ光源６６ｂによるハイビームの照射光Ｌ２ｉを第１灯光部５０が前方に照射した場合、図示はしないが、自動二輪車１２の前方からヘッドライト装置１０を見ると、レンズ５６の下側内方における半円状の発光として、照射光Ｌ２ｉを視認することができる。
【００５４】
さらに、ポジションライト用の上下の第２ＬＥＤ光源６８ａ、６８ｂから光Ｌ３が出射された場合、出射された各光Ｌ３は、それぞれ、第２リフレクタ７２の上側リフレクタ８０ａ及び下側リフレクタ８０ｂの各反射部８４ａ、８４ｂで前方に反射される。この場合、反射した各光Ｌ３の前方には、レンズ５６のローレット加工部８８が形成されている。そのため、前方に反射した各光Ｌ３は、ローレット加工部８８で拡散され、第２灯光部５２は、拡散された光Ｌ３をポジションビームの照射光Ｌ３ｉとして前方に照射する。従って、図４に示すように、自動二輪車１２の前方からヘッドライト装置１０を見た場合、レンズ５６の上側及び下側の輪郭部分において、ハイビーム及びロービームとは異なる光り方をする円弧状の発光として、照射光Ｌ３ｉを視認することができる。
【００５５】
［ヘッドライト装置１０の変形例］
本実施形態に係るヘッドライト装置１０は、図１〜図４の構成に代えて、図５〜図７の構成も採用可能である。図５〜図７の変形例では、１つの基板９０の上面９０ａ及び底面９０ｂに第１ＬＥＤ光源６６ａ、６６ｂ及び第２ＬＥＤ光源６８ａ、６８ｂをそれぞれ配置した点で、図１〜図４の構成とは異なる。
【００５６】
この場合、図６に示すように、基板９０の上面９０ａに配置される第１ＬＥＤ光源６６ａと底面９０ｂに配置される第１ＬＥＤ光源６６ｂとは、前後方向に位置をずらして配置されている。また、上面９０ａに配置される第２ＬＥＤ光源６８ａと底面９０ｂに配置される第２ＬＥＤ光源６８ｂとは、前後方向に位置をずらして配置されている。このような各第１ＬＥＤ光源６６ａ、６６ｂ及び各第２ＬＥＤ光源６８ａ、６８ｂの配置位置に合わせて、第１リフレクタ７０及び第２リフレクタ７２の形状も、図１〜図４の構成から変更されている。なお、基板９０においても、第１ＬＥＤ光源６６ａ、６６ｂ及び第２ＬＥＤ光源６８ａ、６８ｂに接続するための不図示の配線が配索されている。
【００５７】
この変形例でも、図１〜図４の構成と同様に、ロービーム用の上側の第１ＬＥＤ光源６６ａから光Ｌ１を出射すると、図７の正面視で、第１灯光部５０がレンズ５６の上側内方で半円状の発光を行う。また、ハイビーム用の下側の第１ＬＥＤ光源６６ｂから光Ｌ２を出射すると、第１灯光部５０がレンズ５６の下側内方で半円状の発光を行う。さらに、各第２ＬＥＤ光源６８ａ、６８ｂから光Ｌ３を出射すると、第２灯光部５２がレンズ５６の上側輪郭部分及び下側輪郭部分で略円弧状の発光を行う。
【００５８】
［本実施形態の効果］
以上説明した本実施形態に係るヘッドライト装置１０の効果について説明する。
【００５９】
ヘッドライト装置１０では、基板を増やすことなく、同一の基板（上側基板６２、下側基板６４、基板９０）上に第１ＬＥＤ光源６６ａ、６６ｂと第２ＬＥＤ光源６８ａ、６８ｂとを配設することができる。これにより、第１灯光部５０及び第２灯光部５２をコンパクトに配置することができる。従って、第１灯光部５０と、第１灯光部５０の周囲で発光する第２灯光部５２とを備えるヘッドライト装置１０において、コンパクトな配置のヘッドライト装置１０を実現することができる。また、同一の基板上で第１ＬＥＤ光源６６ａ、６６ｂと第２ＬＥＤ光源６８ａ、６８ｂとが前後にずらして配設される。これにより、ヘッドライト装置１０の空間６０で第１灯光部５０と第２灯光部５２とが分けて配設され、該ヘッドライト装置１０内の機能を区別しやすくなる。また、同一の基板上での第１ＬＥＤ光源６６ａ、６６ｂ及び第２ＬＥＤ光源６８ａ、６８ｂの配線も容易となる。
【００６０】
また、上記の基板（上側基板６２、下側基板６４及び基板９０）は、ヘッドライト装置１０の前後方向に指向して延出され、第１ＬＥＤ光源６６ａ、６６ｂ及び第２ＬＥＤ光源６８ａ、６８ｂは、前後方向に沿った該基板の面（上面６２ａ、９０ａ又は底面６４ｂ、９０ｂ）上に配設されるので、第１ＬＥＤ光源６６ａ、６６ｂ及び第２ＬＥＤ光源６８ａ、６８ｂを効率よく該基板に配設することができる。
【００６１】
さらに、複数の第１ＬＥＤ光源６６ａ、６６ｂが互いに異なる方向に指向する光Ｌ１、Ｌ２を出射すると共に、複数の第２ＬＥＤ光源６８ａ、６８ｂが互いに異なる方向に指向する光Ｌ３を出射するので、ヘッドライト装置１０から前方に照射される照射光Ｌ１ｉ〜Ｌ３ｉを均一化することが可能となる。
【００６２】
さらにまた、複数の第１ＬＥＤ光源６６ａ、６６ｂが互いに反対方向に指向する光Ｌ１、Ｌ２を出射するので、第１灯光部５０は、ロービーム用の照射光Ｌ１ｉと、ハイビーム用の照射光Ｌ２ｉとを分けて、前方に照射することができる。このように、ヘッドライト装置１０内で第１灯光部５０の機能を空間的に分けることにより、簡単な構造のヘッドライト用灯体を実現することができる。
【００６３】
また、第１リフレクタ７０を用いて、ヘッドライト装置１０の空間６０を、第１ＬＥＤ光源６６ａ、６６ｂが配設される空間と、第２ＬＥＤ光源６８ａ、６８ｂが配設される空間とに区画することで、第１ＬＥＤ光源６６ａ、６６ｂからの光Ｌ１、Ｌ２と、第２ＬＥＤ光源６８ａ、６８ｂからの光Ｌ３とを個別にヘッドライト装置１０の前方に照射させることができる。また、単純なリフレクタの形状とすることができるので、コンパクト且つ薄型の灯体を実現することができる。
【００６４】
さらに、第２リフレクタ７２の前端部８６ａ、８６ｂが第１リフレクタ７０の前端部７８ａ、７８ｂよりも上下方向の外側に位置するので、導光体レンズ等の導光部材を用いることなく、第１ＬＥＤ光源６６ａ、６６ｂからの光Ｌ１、Ｌ２を第１リフレクタ７０によって前方に確実に反射（照射）させると共に、第２ＬＥＤ光源６８ａ、６８ｂからの光Ｌ３を第２リフレクタ７２によって前方に確実に反射（照射）させることができる。
【００６５】
さらにまた、図１〜図３の構成のように、２つの上側基板６２及び下側基板６４が隙間を隔てて対向配置されるので、上側基板６２及び下側基板６４における前後方向の同じ位置にＬＥＤ光源（第１ＬＥＤ光源６６ａ、６６ｂ、第２ＬＥＤ光源６８ａ、６８ｂ）を配置することが可能となる。これにより、第１ＬＥＤ光源６６ａ、６６ｂ及び第２ＬＥＤ光源６８ａ、６８ｂをコンパクトに配置することができる。
【００６６】
また、図５及び図６の構成のように、１つの基板９０において、第１ＬＥＤ光源６６ａ、６６ｂ及び第２ＬＥＤ光源６８ａ、６８ｂは、前後方向に沿った基板９０の上面９０ａ及び底面９０ｂで、前後方向にずらして配置されているので、１枚の基板９０の両面を利用して第１ＬＥＤ光源６６ａ、６６ｂ及び第２ＬＥＤ光源６８ａ、６８ｂをコンパクトに配置することができる。
【００６７】
以上、本発明について好適な実施形態を用いて説明したが、本発明の技術的範囲は、上記の実施形態の記載範囲に限定されることはない。上記の実施形態に、多様な変更又は改良を加えることが可能であることは、当業者に明らかである。そのような変更又は改良を加えた形態も、本発明の技術的範囲に含まれ得ることが、請求の範囲の記載から明らかである。また、請求の範囲に記載された括弧書きの符号は、本発明の理解の容易化のために添付図面中の符号に倣って付したものであり、本発明がその符号をつけた要素に限定されて解釈されるものではない。
【図１】
2019064795.tif 000003
【図２】
2019064795.tif 000004
【図３】
2019064795.tif 000005
【図４】
2019064795.tif 000006
【図５】
2019064795.tif 000007
【図６】
2019064795.tif 000008
【図７】
2019064795.tif 000009
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
第１の灯光部（５０）と、該第１の灯光部（５０）の周囲に配置される第２の灯光部（５２）とを備える灯体（１０）において、
前記灯体（１０）は、該灯体（１０）の内部に配置される基板（６２、６４、９０）をさらに備え、
前記第１の灯光部（５０）は、前記基板（６２、６４、９０）に配置され、前記灯体（１０）の前方を照射するための光（Ｌ１、Ｌ２）を出射する複数の第１のＬＥＤ光源（６６ａ、６６ｂ）を有し、
前記第２の灯光部（５２）は、前記基板（６２、６４、９０）に配置され、前記灯体（１０）の前方における前記第１の灯光部（５０）の照射範囲の周囲を照射するための光（Ｌ３）を出射する複数の第２のＬＥＤ光源（６８ａ、６８ｂ）を有し、
複数の前記第１のＬＥＤ光源（６６ａ、６６ｂ）は、前記基板（６２、６４、９０）における複数の前記第２のＬＥＤ光源（６８ａ、６８ｂ）の配置箇所よりも前方に位置し、互いに異なる方向に指向する光（Ｌ１、Ｌ２）を出射し、
複数の前記第２のＬＥＤ光源（６８ａ、６８ｂ）は、互いに異なる方向に指向する光（Ｌ３）を出射することを特徴とする灯体（１０）。
【請求項２】
請求項１記載の灯体（１０）において、
前記基板（６２、６４、９０）は、前記灯体（１０）の前後方向に指向して延出され、
前記各ＬＥＤ光源（６６ａ、６６ｂ、６８ａ、６８ｂ）は、前記前後方向に沿った前記基板（６２、６４、９０）の面（６２ａ、６４ｂ、９０ａ、９０ｂ）上に配設されることを特徴とする灯体（１０）。
【請求項３】
（削除）
【請求項４】
請求項１又は２記載の灯体（１０）において、
複数の前記第１のＬＥＤ光源（６６ａ、６６ｂ）のうち、一方のＬＥＤ光源（６６ａ）は、ロービーム用の光源であり、他方のＬＥＤ光源（６６ｂ）は、ハイビーム用の光源であり、
複数の前記第１のＬＥＤ光源（６６ａ、６６ｂ）は、互いに反対方向に指向する光（Ｌ１、Ｌ２）を出射することを特徴とする灯体（１０）。
【請求項５】
請求項１、２、４のいずれか１項に記載の灯体（１０）において、
前記第１の灯光部（５０）は、複数の前記第１のＬＥＤ光源（６６ａ、６６ｂ）から出射される光（Ｌ１、Ｌ２）を前記灯体（１０）の前方に反射させる第１のリフレクタ（７０）をさらに有し、
前記第２の灯光部（５２）は、複数の前記第２のＬＥＤ光源（６８ａ、６８ｂ）から出射される光（Ｌ３）を前記灯体（１０）の前方に反射させる第２のリフレクタ（７２）をさらに有し、
前記第１のリフレクタ（７０）は、複数の前記第１のＬＥＤ光源（６６ａ、６６ｂ）と複数の前記第２のＬＥＤ光源（６８ａ、６８ｂ）との間に配置されることを特徴とする灯体（１０）。
【請求項６】
請求項５記載の灯体（１０）において、
前記第２のリフレクタ（７２）の前方の端縁部（８６ａ、８６ｂ）は、前記第１のリフレクタ（７０）の前方の端縁部（７８ａ、７８ｂ）よりも、前記灯体（１０）の前後方向に直交する方向の外側に位置することを特徴とする灯体（１０）。
【請求項７】
請求項１、２、４〜６のいずれか１項に記載の灯体（１０）において、
前記灯体（１０）は、少なくとも２つの前記基板（６２、６４）を備え、
２つの前記基板（６２、６４）は、前記灯体（１０）の前後方向に直交する方向で対向するように、前記前後方向に沿って配置され、
前記第１の灯光部（５０）は、複数の前記第１のＬＥＤ光源（６６ａ、６６ｂ）を有し、
前記第２の灯光部（５２）は、複数の前記第２のＬＥＤ光源（６８ａ、６８ｂ）を有し、
一方の基板（６２）における他方の基板（６４）とは反対側の側面（６２ａ）と、前記他方の基板（６４）における前記一方の基板（６２）とは反対側の側面（６４ｂ）とには、それぞれ、前記第１のＬＥＤ光源（６６ａ、６６ｂ）及び前記第２のＬＥＤ光源（６８ａ、６８ｂ）が配設されることを特徴とする灯体（１０）。
【請求項８】
請求項１、２、４〜６のいずれか１項に記載の灯体（１０）において、
前記基板（９０）は、前記灯体（１０）の前後方向に沿って配置され、
複数の前記第１のＬＥＤ光源（６６ａ、６６ｂ）及び複数の前記第２のＬＥＤ光源（６８ａ、６８ｂ）は、前記前後方向に沿った前記基板（９０）の一方の側面（９０ａ）及び／又は他方の側面（９０ｂ）で、前記前後方向にずらして配置されることを特徴とする灯体（１０）。
【国際調査報告】
2019064795.tif 000010
2019064795.tif 000011
2019064795.tif 000012
2019064795.tif 000013